(57)【要約】【課題】電子機器がアプリケーション層を起動できない場合であっても、電子機器に記憶されたデータを取得することができるデータ取得システムを提供する。【解決手段】本発明に係るデータ取得システム１は、データ記憶部と第１インターフェイス３１とを備える電子機器３及び第１インターフェイス３１に接続される第２インターフェイス２１と端末通信制御部とを備えるデータ取得端末２によって構成される。端末通信制御部は、電子機器３のデータ記憶部に記憶されているデータを、第１インターフェイス３１を介して送信するよう電子機器３に対し指示する。電子機器３は、端末通信制御部による指示に応じて、データ記憶部に記憶されたデータをデータ取得端末２に第１通信方式によって送信する。第１通信方式は、ＯＳＩ参照モデルにおけるアプリケーション層よりも下位層で規定された通信規格を使用する通信方式である。【選択図】図１
2016151874.tif 000002
【特許請求の範囲】
【請求項１】
電子機器及びデータ取得端末を備えたデータ取得システムであって、
前記電子機器は、
データを記憶するデータ記憶部と、
前記データ取得端末が接続される第１インターフェイスと、
前記データ記憶部から前記データを取得するデータ取得回路と、
前記第１インターフェイスを介して前記データ取得端末から電力が供給されると、前記データ取得端末から供給された電力を前記データ取得回路に供給する電源制御回路と
を備え、
前記データ取得端末は、
前記第１インターフェイスに接続される第２インターフェイスと、
前記第１インターフェイス及び前記第２インターフェイスを介して前記電源制御回路に電力を供給する電力供給部と、
前記データ取得回路によって前記データ記憶部から取得されたデータを、前記第１インターフェイスを介して送信するよう前記データ取得回路に対し指示する端末通信制御部と、
を備え、
前記データ取得回路は、前記端末通信制御部による指示に応じて、前記データ記憶部に記憶された前記データを取得し、前記データ記憶部から取得したデータを前記データ取得端末に第１通信方式によって送信し、
前記第１通信方式は、ＯＳＩ参照モデルにおけるアプリケーション層よりも下位層で規定された通信規格を使用する通信方式である、データ取得システム。
【請求項２】
前記電源制御回路は、前記データ取得端末から電力が供給されると、前記データ取得回路に対し、前記第１通信方式による通信が可能な状態に遷移するよう指令する、請求項１に記載のデータ取得システム。
【請求項３】
前記第１インターフェイス及び前記第２インターフェイスは、前記第１通信方式とは異なる第２通信方式による通信の実行に使用することができる、請求項１又は請求項２に記載のデータ取得システム。
【請求項４】
前記第１通信方式及び前記第２通信方式は、２本の信号ラインを利用する通信方式である、請求項３に記載のデータ取得システム。
【請求項５】
前記第１通信方式は、ＯＳＩ参照モデルの物理層で規定された通信規格のみ使用する通信方式である、請求項１〜請求項４のいずれか１項に記載のデータ取得システム。
【請求項６】
前記第１通信方式は、Ｉ2Ｃ規格に基づく通信方式である、請求項５に記載のデータ取得システム。
【請求項７】
前記第２通信方式は、ＵＳＢ規格に基づく通信方式である、請求項４に記載のデータ取得システム。
【請求項８】
前記データ取得システムは、前記電力供給部に電力を供給する外部電源装置を更に備え、
前記データ取得端末は、前記外部電源装置から電力が入力される電力入力部を更に備え、
前記電力供給部は、前記電力入力部に入力された電力を前記電源制御回路へ供給する、請求項１〜請求項７のいずれか１項に記載のデータ取得システム。
【請求項９】
前記電子機器が画像形成装置である、請求項１〜請求項８のいずれか１項に記載のデータ取得システム。
【請求項１０】
データ取得端末との間でデータの通信を行う画像形成装置であって、
前記データを記憶するデータ記憶部と、
前記データ取得端末が接続されるインターフェイスと、
前記データ記憶部から前記データを取得するデータ取得回路と、
前記インターフェイスを介して前記データ取得端末から電力が供給されると、前記データ取得端末から供給された電力を前記データ取得回路に供給する電源制御回路と
を備え、
前記データ取得回路は、前記データ取得端末による指示に応じて、前記データ記憶部に記憶されたデータを取得し、前記取得したデータを前記データ取得端末に所定の通信方式によって前記インターフェイスを介して送信し、
前記所定の通信方式は、ＯＳＩ参照モデルにおけるアプリケーション層よりも下位層で規定された通信規格を使用する通信方式である、画像形成装置。
【請求項１１】
電子機器との間で所定の通信方式によりデータの通信を行うデータ取得端末であって、
前記電子機器に接続されるインターフェイスと、
前記インターフェイスを介して前記電子機器に電力を供給する電力供給部と、
前記電子機器に記憶されたデータを送信するように前記電子機器に対して指示する端末通信制御部と
を備え、
前記所定の通信方式は、ＯＳＩ参照モデルにおけるアプリケーション層よりも下位層で規定された通信規格を使用する通信方式である、データ取得端末。
【発明の詳細な説明】
【技術分野】
【０００１】
本発明は、データ取得システム、電子機器、及び、データ取得端末に関する。
【背景技術】
【０００２】
電子機器の一種である画像形成装置には、ログ情報、機器識別情報、及び、ユーザーが管理する個人情報のようなデータが記憶されている。これらのデータは、コンピューター、又は、別の画像形成装置のような外部装置において利用されることがある。
【０００３】
例えば、特許文献１には、画像形成装置が備えるＵＳＢ（Ｕｎｉｖｅｒｓａｌ  Ｓｅｒｉａｌ  Ｂｕｓ）インターフェイスにデータ取得端末が備えるＵＳＢインターフェイスを接続することによって、データ取得端末が画像形成装置に記憶されたデータを取得する技術が提案されている。詳しくは、特許文献１に記載されている画像形成装置は、記憶部、記憶部に記憶されたデータを取得するデータ取得回路、及び、ＵＳＢ規格に準拠した通信を制御するＵＳＢコントローラーを備える。以下、ＵＳＢ規格に準拠した通信をＵＳＢ通信と記載する場合がある。
【０００４】
記憶部、データ取得回路、及び、ＵＳＢコントローラーは、画像形成装置が備えるメイン基板上に設けられている。ＵＳＢコントローラーがＵＳＢ通信を制御するためのアプリケーションを実行することによって、記憶部に記憶されたデータがデータ取得回路を介してデータ取得端末に送信される。以下、ＵＳＢ通信を制御するためのアプリケーションをＵＳＢアプリケーションと記載する場合がある。
【先行技術文献】
【特許文献】
【０００５】
【特許文献１】特開２００８−１７６５６４号公報
【発明の概要】
【発明が解決しようとする課題】
【０００６】
しかし、特許文献１に記載の画像形成装置では、メイン基板の一部が破損して、画像形成装置がＵＳＢアプリケーションを起動できない場合、画像形成装置に記憶されたデータをデータ取得端末に送信することができない。
【０００７】
本発明は、上記課題に鑑み、電子機器がアプリケーション層を起動できない場合であっても、電子機器に記憶されたデータを取得することができるデータ取得システム、電子機器、及び、データ取得端末を提供することを目的とする。
【課題を解決するための手段】
【０００８】
本発明のデータ取得システムは、電子機器及びデータ取得端末を備える。前記電子機器は、データ記憶部と、第１インターフェイスと、データ取得回路と、電源制御回路とを備える。前記データ記憶部は、データを記憶する。前記第１インターフェイスには、前記データ取得端末が接続される。前記データ取得回路は、前記データ記憶部から前記データを取得する。前記電源制御回路は、前記第１インターフェイスを介して前記データ取得端末から電力が供給されると、前記データ取得端末から供給された電力を前記データ取得回路に供給する。前記データ取得端末は、第２インターフェイスと、電力供給部と、端末通信制御部とを備える。前記第２インターフェイスは、前記第１インターフェイスに接続される。前記電力供給部は、前記第１インターフェイス及び前記第２インターフェイスを介して前記電源制御回路に電力を供給する。前記端末通信制御部は、前記データ取得回路によって前記データ記憶部から取得されたデータを、前記第１インターフェイスを介して送信するよう前記データ取得回路に対し指示する。前記データ取得回路は、前記端末通信制御部による指示に応じて、前記データ記憶部に記憶された前記データを取得し、前記データ記憶部から取得したデータを前記データ取得端末に第１通信方式によって送信する。前記第１通信方式は、ＯＳＩ参照モデルにおけるアプリケーション層よりも下位層で規定された通信規格を使用する通信方式である。
【０００９】
本発明の画像形成装置は、データ取得端末との間でデータの通信を行う。当該画像形成装置は、データ記憶部と、インターフェィスと、データ取得回路と、電源制御回路とを備える。前記データ記憶部は、前記データを記憶する。前記インターフェイスには、前記データ取得端末が接続される。前記データ取得回路は、前記データ記憶部から前記データを取得する。前記電源制御回路は、前記インターフェイスを介して前記データ取得端末から電力が供給されると、前記データ取得端末から供給された電力を前記データ取得回路に供給する。前記データ取得回路は、前記データ取得端末による指示に応じて、前記データ記憶部に記憶されたデータを取得し、前記取得したデータを前記データ取得端末に所定の通信方式によって前記インターフェイスを介して送信する。前記所定の通信方式は、ＯＳＩ参照モデルにおけるアプリケーション層よりも下位層で規定された通信規格を使用する通信方式である。
【００１０】
本発明のデータ取得端末は、電子機器との間で所定の通信方式によりデータの通信を行う。当該データ取得端末は、インターフェイスと、電力供給部と、端末通信制御部とを備える。前記インターフェイスは、前記電子機器に接続される。前記電力供給部は、前記インターフェイスを介して前記電子機器に電力を供給する。前記端末通信制御部は、前記電子機器に記憶されたデータを送信するように前記電子機器に対して指示する。前記所定の通信方式は、ＯＳＩ参照モデルにおけるアプリケーション層よりも下位層で規定された通信規格を使用する通信方式である。
【発明の効果】
【００１１】
本発明によれば、電子機器がアプリケーション層を起動できない場合であっても、電子機器に記憶されたデータを取得することができる。
【図面の簡単な説明】
【００１２】
【図１】本発明の実施形態に係るデータ取得システムを示す概念図である。
【図２】本発明の実施形態に係るデータ取得システムの構成を示すブロック図である。
【図３】本発明の実施形態に係る画像形成装置の構成を示す回路図である。
【図４】図３の電源制御回路の構成を示す回路図である。
【図５】本発明の実施形態に係るデータ取得システムの動作を示すフローチャートである。
【発明を実施するための形態】
【００１３】
以下、図面を参照して、本発明に係るデータ取得システム、電子機器、及びデータ取得端末の実施形態について説明する。なお、図中、同一又は相当部分については同一の参照符号を付して説明を繰り返さない。
【００１４】
まず、図１を参照して、データ取得システム１の構成について説明する。図１は、データ取得システム１を示す概念図である。データ取得システム１は、データ取得端末２が画像形成装置３に記憶されているデータを取得するためのシステムである。データ取得端末２は、画像形成装置３がＵＳＢアプリケーションを起動できなくなった場合に使用される。
【００１５】
図１に示すように、データ取得システム１は、データ取得端末２、画像形成装置３、及び、データ取得端末２に電力を供給するＡＣアダプター４によって構成される。画像形成装置３は、電子機器の一例である。ＡＣアダプター４は、外部電源装置の一例である。本実施形態において、画像形成装置３は、複合機（ＭＦＰ：ＭｕｌｔｉＦｕｎｃｔｉｏｎ  Ｐｅｒｉｐｈｅｒａｌ）である。
【００１６】
画像形成装置３は、データ取得端末２が接続されるＵＳＢ（Ｕｎｉｖｅｒｓａｌ  Ｓｅｒｉａｌ  Ｂｕｓ）ポート３１を備える。ＵＳＢポート３１は、第１インターフェイスの一例である。
【００１７】
ＵＳＢポート３１は、ＵＳＢの規格に準拠したデータの通信を行うために設けられたインターフェイスである。以下、ＵＳＢの規格に準拠したデータの通信方式をＵＳＢ通信方式と記載する場合がある。ＵＳＢ通信方式は、第２通信方式の一例である。ＵＳＢ通信方式は、ＯＳＩ参照モデルにおける第１層（物理層）から第７層（アプリケーション層）において規定された通信規格に準拠する。
【００１８】
ＵＳＢポート３１には、データ取得端末２が備えるＵＳＢコネクター２１が接続される。ＵＳＢポート３１は、画像形成装置３とデータ取得端末２との間の通信の実行に使用される。本実施形態において、ＵＳＢポート３１は、Ｉ2Ｃ（Ｉｎｔｅｒ−Ｉｎｔｅｇｒａｔｅｄ  Ｃｉｒｃｕｉｔ）の規格に準拠したデータの通信、及び、ＵＳＢ通信の実行に使用される。以下、Ｉ2Ｃの規格に準拠した通信をＩ2Ｃ通信と記載する場合がある。また、Ｉ2Ｃの規格に準拠したデータの通信方式をＩ2Ｃ通信方式と記載する場合がある。Ｉ2Ｃ通信方式は、第１通信方式の一例である。Ｉ2Ｃ通信方式は、ＯＳＩ参照モデルにおける第１層（物理層）で規定された通信規格のみを使用する。
【００１９】
データ取得端末２は、ＵＳＢコネクター２１に加え、電力入力部２５を備える。
【００２０】
ＵＳＢコネクター２１は、ＵＳＢ通信方式によるデータの通信を行うために設けられたインターフェイスである。ＵＳＢコネクター２１は、第２インターフェイスの一例である。本実施形態において、ＵＳＢコネクター２１は、ＵＳＢポート３１と接続して、Ｉ2Ｃ通信方式、及び、ＵＳＢ通信方式による通信の実行に使用される。
【００２１】
電力入力部２５は、ＡＣアダプター４と接続する。電力入力部２５にＡＣアダプター４が接続されると、ＡＣアダプター４からデータ取得端末２へ電力が供給される。データ取得端末２のＵＳＢコネクター２１がＵＳＢポート３１に接続されると、データ取得端末２は、画像形成装置３に電力を供給する。画像形成装置３にデータ取得端末２から電力が供給されると、データ取得端末２と画像形成装置３との間でＩ2Ｃ通信方式によるデータの通信が可能となる。この結果、データ取得端末２は、画像形成装置３に記憶されたデータを取得することができる。
【００２２】
次に、図２を参照して、データ取得システム１の構成について詳細に説明する。図２は、データ取得システム１の構成を示すブロック図である。
【００２３】
図２に示すように、画像形成装置３は、ＵＳＢポート３１に加え、電力生成部３７、及び、制御部３２を備える。ＵＳＢポート３１、電力生成部３７及び制御部３２は、画像形成装置３が備えるメイン基板上に設けられる。
【００２４】
電力生成部３７は、制御部３２が備える各部で使用される電力を生成する。電力生成部３７は、生成した電力を制御部３２へ供給する。
【００２５】
制御部３２は、電源制御回路３４、データ記憶部の一例である機器記憶部３５、及び、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）３６を備える。
【００２６】
ＡＳＩＣ３６は、機器記憶部３５に記憶されたプログラムを実行することによって、画像形成装置３の各部の動作の制御を行う。ＡＳＩＣ３６は、データ取得回路３６２、及び、ＵＳＢコントローラー３６１を備える。
【００２７】
電源制御回路３４は、データ取得回路３６２に電力を供給する。電源制御回路３４は、データ取得モード切替回路３４１を備える。データ取得モード切替回路３４１は、ＵＳＢポート３１を介してデータ取得端末２からデータ取得モード切替回路３４１に電力が供給されているか否かを判定する。データ取得端末２からデータ取得モード切替回路３４１に電力が供給されているとデータ取得モード切替回路３４１が判定すると、データ取得モード切替回路３４１は、データ取得端末２から供給された電力をデータ取得回路３６２へ供給する。
【００２８】
データ取得モード切替回路３４１は、データ取得回路３６２のデータ取得モードを第１モードから第２モードへ切り替える。詳しくは、データ取得端末２から電力が供給されているとデータ取得モード切替回路３４１が判定すると、データ取得モード切替回路３４１は、データ取得回路３６２に対し、モード切替信号を送信する。データ取得回路３６２は、モード切替信号を受信すると、データ取得モードを第１モードから第２モードへ切り替える。
【００２９】
機器記憶部３５は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及び、ＨＤＤ（Ｈａｒｄ  ｄｉｓｋ  ｄｒｉｖｅ）で構成される。機器記憶部３５には、様々なデータが記憶されている。本実施形態では、機器記憶部３５には、プログラム、画像データ、ログ情報、カウンター情報、ＭＡＣアドレス、ＩＰアドレス、及び、個人情報が記憶されている。
【００３０】
ＵＳＢコントローラー３６１は、機器記憶部３５に記憶されたプログラム（アプリケーション）を実行して、ＵＳＢポート３１を介したＵＳＢ通信を制御する。
【００３１】
データ取得回路３６２は、機器記憶部３５に記憶されたデータを取得する。また、データ取得回路３６２は、モード切替信号を受信すると、第１モードから第２モードへ遷移する。第１モードは、ＵＳＢ通信方式によるデータの通信が可能なモードである。第２モードは、Ｉ2Ｃ通信方式によるデータの通信が可能なモードである。データ取得回路３６２が第２モードに遷移すると、データ取得回路３６２は、ＵＳＢポート３１と直接接続する。データ取得回路３６２のデータ取得モードが第１モードである場合、データ取得回路３６２は、機器記憶部３５から取得したデータをＵＳＢポート３１へＵＳＢコントローラー３６１を介して送信する。
【００３２】
続いて、データ取得端末２について説明する。データ取得端末２は、ＵＳＢコネクター２１、及び、電力入力部２５に加え、Ｉ2Ｃコントローラー２２、端末記憶部２３、及び、電力供給部２４を備える。
【００３３】
電力入力部２５は、ＡＣアダプター４と接続すると、ＡＣアダプター４から供給される電力を電力供給部２４に入力する。
【００３４】
端末通信制御部の一例であるＩ2Ｃコントローラー２２は、ＵＳＢコネクター２１、及び、ＵＳＢポート３１を介して、データ取得回路３６２に対しデータの送信を指示する。この指示に応じて、データ取得回路３６２は、機器記憶部３５からデータを取得し、機器記憶部３５から取得したデータを、ＵＳＢポート３１を介してデータ取得端末２へ送信する。
【００３５】
端末記憶部２３には、画像形成装置３から取得されたデータが記憶される。端末記憶部２３は、フラッシュＲＯＭのような半導体不揮発性メモリーである。なお、端末記憶部２３は、半導体不揮発性メモリーに限定されるものではない。例えば、端末記憶部２３は、ＨＤＤであり得る。
【００３６】
電力供給部２４は、電力入力部２５から入力された電力を、ＵＳＢコネクター２１を介して画像形成装置３に供給する。本実施形態では、電力供給部２４は、５Ｖの電圧を画像形成装置３に供給する。
【００３７】
次に、図２及び図３を参照して画像形成装置３の構成について詳細に説明する。図３は、画像形成装置３の構成を示す回路図である。
【００３８】
図３に示すように、画像形成装置３は、ＵＳＢポート３１、電源制御回路３４、機器記憶部３５、及び、ＡＳＩＣ３６を備える。また画像形成装置３は、第１スイッチング素子ＳＷ１、第２スイッチング素子ＳＷ２、及び第３スイッチング素子ＳＷ３を備える。本実施形態において、第１スイッチング素子ＳＷ１、第２スイッチング素子ＳＷ２、及び第３スイッチング素子ＳＷ３は、ＮｃｈＭＯＳＦＥＴである。
【００３９】
図３に示すように、ＵＳＢポート３１は、第１ＶＢＵＳラインＬ１を介して、第１電源ラインＰ１と接続する。第１電源ラインＰ１は、電力生成部３７に接続する。第１スイッチング素子ＳＷ１は、第１ＶＢＵＳラインＬ１の導通を制御する。第１スイッチング素子ＳＷ１がＯＮ状態の場合、第１電源ラインＰ１からＵＳＢポート３１へ電力が供給される。一方、第１スイッチング素子ＳＷ１がＯＦＦ状態の場合、第１電源ラインＰ１からＵＳＢポート３１へは電力が供給されない。第１スイッチング素子ＳＷ１の動作は、ＡＳＩＣ３６からの信号によって制御される。また、ＵＳＢポート３１は、第１差動信号ラインＬ２、Ｌ３を介してＡＳＩＣ３６と接続する。
【００４０】
ＵＳＢコントローラー３６１がＵＳＢアプリケーションを実行することができる状態である場合、ＵＳＢポート３１に、一般的なＵＳＢメモリーが接続されると、第１ＶＢＵＳラインＬ１を介して、ＵＳＢメモリーに電力が供給される。また、ＡＳＩＣ３６は、第１差動信号ラインＳＬ１、ＳＬ２を介したＵＳＢメモリーへのデータの送信が可能となる。以下、ＵＳＢコントローラー３６１がＵＳＢアプリケーションを実行することができる状態を通常状態と記載する。
【００４１】
一方、メイン基板におけるＡＳＩＣ３６の周辺の一部が破損するなどして、ＵＳＢコントローラー３６１がＵＳＢアプリケーションを実行できない状態になると、第１スイッチング素子ＳＷ１はＯＦＦ状態になる。以下、ＵＳＢコントローラー３６１がＵＳＢアプリケーションを実行できない状態を非通常状態と記載する。
【００４２】
また、ＵＳＢポート３１は、第２ＶＢＵＳラインＬ４と電気的に接続されている。詳しくは、第２ＶＢＵＳラインＬ４の一端が、ＵＳＢポート３１と第１スイッチング素子ＳＷ１との間で第１ＶＢＵＳラインＬ１と接続する。第２ＶＢＵＳラインＬ４の他端は、第２電源ラインＰ２及び電源制御回路３４と接続する。電源制御回路３４は、第１電源ラインＰ１とも接続している。
【００４３】
非通常状態において、データ取得端末２がＵＳＢポート３１に接続されると、データ取得端末２から第２ＶＢＵＳラインＬ４を介して電源制御回路３４及び第２電源ラインＰ２に電力が入力される。
【００４４】
電源制御回路３４は、第２スイッチング素子ＳＷ２及び第３スイッチング素子ＳＷ３の動作を制御する。
【００４５】
電源制御回路３４は、通常状態において、第２スイッチング素子ＳＷ２をＯＮ状態にし、第３スイッチング素子ＳＷ３をＯＦＦ状態にする。これにより、第１電源ラインＰ１から第３電源ラインＰ３へ電力が供給される。第３電源ラインＰ３は、データ取得回路３６２に電力を供給する。
【００４６】
一方、非通常状態において、電源制御回路３４は、データ取得端末２から電力が供給されているか否かを判定する。電源制御回路３４は、データ取得端末２から電力が供給されていると判定した場合、第３スイッチング素子ＳＷ３をＯＮ状態にし、第２スイッチング素子ＳＷ２をＯＦＦ状態にする。これにより、第２電源ラインＰ２から第３電源ラインＰ３へ電力が供給され、第３電源ラインＰ３からデータ取得回路３６２に電力が供給される。
【００４７】
また電源制御回路３４は、データ取得端末２から電力が供給されていると判定した場合、データ取得回路３６２にモード切替信号を送信する。データ取得回路３６２は、モード切替信号を受信すると、データ取得端末２とＩ2Ｃ通信可能な状態（第２モード）に遷移する。詳しくは、データ取得回路３６２は、モード切替信号を受信すると、第２差動ラインＬ５、Ｌ６を介して第１差動信号ラインＬ２、Ｌ３に接続する。
【００４８】
次に、図４を参照して、電源制御回路３４の構成について詳細に説明する。図４は、電源制御回路３４の構成を示す回路図である。
【００４９】
通常状態において、データ取得モード切替回路３４１は、第２スイッチング素子ＳＷ２をＯＮ状態にし、第３スイッチング素子ＳＷ３をＯＦＦ状態にする。この結果、第１電源ラインＰ１から第３電源ラインＰ３に電力が供給され、第３電源ラインＰ３からデータ取得回路３６２に電力が供給される。すなわち、データ取得回路３６２に電力生成部３７から電力が供給される。
【００５０】
一方、非通常状態において、ＵＳＢポート３１にＵＳＢコネクター２１が接続されると、データ取得モード切替回路３４１に、データ取得端末２から電力が供給される。データ取得モード切替回路３４１は、データ取得端末２から電力が供給されると、第３スイッチング素子ＳＷ３をＯＮ状態にし、第２スイッチング素子ＳＷ２をＯＦＦ状態にする。この結果、第２電源ラインＰ２から第３電源ラインＰ３へ電力が供給され、第３電源ラインＰ３からデータ取得回路３６２に電力が供給される。即ち、データ取得端末２からデータ取得回路３６２に電力が供給される。
【００５１】
また、データ取得モード切替回路３４１から、第３スイッチング素子ＳＷ３に入力される信号、即ち、第３スイッチング素子ＳＷ３の動作を制御する信号は、データ取得回路３６２にも送信される。この信号がモード切替信号としてデータ取得回路３６２に入力される。
【００５２】
次に、図１〜図５を参照して、データ取得システム１の動作について説明する。図５は、データ取得システム１の動作を示すフローチャートである。詳しくは、図５は、非通常状態におけるデータ取得システム１の動作を示すフローチャートである。
【００５３】
ユーザーがデータ取得端末２のＵＳＢコネクター２１をＵＳＢポート３１に挿入すると、図５に示すように、電力供給部２４が、ＵＳＢポート３１及びＵＳＢコネクター２１を介してデータ取得モード切替回路３４１に電力を供給する（ステップＳ２）。また、データ取得端末２から送られた電力は、第２電源ラインＰ２にも供給される。
【００５４】
データ取得モード切替回路３４１にデータ取得端末２から電力が供給されると、データ取得モード切替回路３４１が、第３スイッチング素子ＳＷ３をＯＮ状態にし、第２スイッチング素子ＳＷ２をＯＦＦ状態にする（ステップＳ４）。その結果、データ取得端末２から送られてくる電力のデータ取得回路３６２への供給が開始される。また、データ取得モード切替回路３４１が、データ取得回路３６２へモード切替信号を送信する。
【００５５】
データ取得回路３６２は、モード切替信号を受信すると、Ｉ2Ｃ通信可能な状態に遷移する（ステップＳ６）。即ち、データ取得回路３６２がＵＳＢポート３１と直接接続する。
【００５６】
データ取得回路３６２がＵＳＢポート３１と直接接続すると、Ｉ2Ｃコントローラー２２からデータ取得回路３６２へデータの送信を指示する信号が入力される（ステップＳ８）。データ取得回路３６２はＩ2Ｃコントローラー２２の指示に応じて、機器記憶部３５に記憶されたデータを取得し、取得したデータをデータ取得端末２へ送信する（ステップＳ１０）。
【００５７】
以上、本発明の実施形態について説明した。本実施形態によれば、画像形成装置３のメイン基板の一部が破損するなどしてＵＳＢアプリケーションが起動しない場合であっても、データ取得端末２が画像形成装置３に記憶されたデータを取得することができる。
【００５８】
また、ＵＳＢポート３１は、ＵＳＢ通信方式によるデータ通信に使用されるインターフェイスである。一般的に画像形成装置３にはＵＳＢポートが設けられている。したがって、データ取得システム１は、既存のインターフェイスを利用することができる。このため、画像形成装置３にデータ取得用のインターフェイスを別途設ける必要がない。
【００５９】
また、本実施形態によれば、電力生成部３７から電力がデータ取得回路３６２に供給されない場合であっても、データ取得端末２からデータ取得回路３６２に電力を供給することができる。このため、電力生成部３７が破損した場合などであっても、データ取得端末２が画像形成装置３に記憶されたデータを取得することができる。
【００６０】
また、データ取得端末２が取得したデータは、データ取得端末２の端末記憶部２３に記憶される。端末記憶部２３に記憶されたデータは、ＵＳＢコネクター２１を介したＵＳＢ通信方式によるデータ通信によって画像形成装置３とは異なる電子機器に送信することができる。これにより、ユーザーの利便性が向上する。
【００６１】
以上、本発明の実施形態について、図面（図１〜図５）を参照しながら説明した。但し、本発明は、上記の実施形態に限られるものではなく、その要旨を逸脱しない範囲で種々の態様において実施することが可能である。
【００６２】
例えば、本発明の実施形態では、データ取得端末２と画像形成装置３との間のデータの通信方式としてＩ2Ｃ通信方式を使用する場合を例に説明したが、本発明はこれに限定されない。例えば、データ取得端末２と画像形成装置３との間のデータの通信方式として、ＵＡＲＴの規格に準拠した通信方式が使用されてもよい。
【００６３】
また、本発明の実施形態では、外部電源装置としてＡＣアダプター４が使用される場合を例に説明したが、外部電源装置はＡＣアダプター４に限定されない。例えば、外部電源装置として、モバイルバッテリーのような、充放電可能な蓄電池を使用することもできる。
【００６４】
また、本発明の実施形態において、データ取得端末２はＡＣアダプター４から電力が供給されたが、本発明はこれに限定されない。例えば、データ取得端末２は、内蔵バッテリーを備えてもよい。この場合、電力供給部２４は、内蔵バッテリーから供給された電力を画像形成装置３に供給することができる。
【００６５】
また、本発明の実施形態では、第１スイッチング素子ＳＷ１、第２スイッチング素子ＳＷ２、及び、第３スイッチング素子ＳＷ３としてＮｃｈＭＯＳＦＥＴが使用される場合を例に説明したが、第１スイッチング素子ＳＷ１、第２スイッチング素子ＳＷ２、及び、第３スイッチング素子ＳＷ３は、ＮｃｈＭＯＳＦＥＴに限定されない。例えば、バイポーラトランジスタが使用されてもよい。
【００６６】
また、本発明の実施形態では、データ取得回路３６２が機器記憶部３５に記憶されたデータを取得する場合を例に説明したが、本発明はこれに限定されない。例えば、データ取得回路３６２は、ＡＳＩＣ３６のレジスターに記憶されたデータを取得してもよい。
【００６７】
また、本発明の実施形態では、複合機を例にデータ取得システム１を説明したが、本発明は、コピー機、ファクシミリ、又はプリンター等にも適用可能である。
【００６８】
また、本発明の実施形態では、画像形成装置３を例にデータ取得システム１を説明したが、本発明は、画像形成装置３以外の電子機器にも適用可能である。例えば、本発明は、パーソナル・コンピューターのような電子機器にも採用することができる。
【産業上の利用可能性】
【００６９】
本発明は、画像形成装置やパーソナル・コンピューターのようなデータを記憶する記憶部を有する電子機器に有用である。
【符号の説明】
【００７０】
１        データ取得システム
２        データ取得端末
２１      ＵＳＢコネクター
２２      Ｉ2Ｃコントローラー
２４      電力供給部
３        画像形成装置
３１      ＵＳＢポート
３４      電源制御回路
３５      機器記憶部
３６２    データ取得回路
【図１】
2016151874.tif 000003
【図２】
2016151874.tif 000004
【図３】
2016151874.tif 000005
【図４】
2016151874.tif 000006
【図５】
2016151874.tif 000007